(57)【要約】  【課題】  ＧＰＳ信号を受信して測位演算を行う機能を有するＧＰＳ受信機に用いられる半導体集積回路において、従来よりも消費電力を低減する。  【解決手段】  半導体集積回路は、中間周波数信号を復調してベースバンド信号を生成すると共にＧＰＳ信号に関する相関処理を行うベースバンド処理部３０と、ベースバンド信号に基づいて測位演算を行うＣＰＵ４１と、ＣＰＵによって得られた演算結果を格納するためのＳＲＡＭ４３と、時刻を計測するリアルタイムクロック４４と、ベースバンド処理部とＣＰＵとに対して、通常動作状態において第１の電源電圧を供給すると共に、待機動作状態において電源電圧を供給しない第１の電源供給手段８１と、ＳＲＡＭとリアルタイムクロックとに対して、通常動作状態において第２の電源電圧を供給すると共に、待機動作状態において第３の電源電圧を供給する第２の電源供給手段８２とを具備する。【選択図】  図１
2007027597.tif 000002
【特許請求の範囲】
【請求項１】
全地球測位システム（ＧＰＳ）の信号を受信して測位演算を行う機能を有するＧＰＳ受信機において用いられる半導体集積回路であって、
ＧＰＳ信号を受信して得られた中間周波数信号を復調してベースバンド信号を生成すると共に、受信されたＧＰＳ信号に関する相関処理を行うベースバンド処理部と、
前記ベースバンド処理部によって生成されたベースバンド信号に基づいて測位演算を行うＣＰＵと、
前記ＣＰＵにおける測位演算に用いられるデータを格納するためのＳＲＡＭと、
時刻を計測するリアルタイムクロックと、
少なくとも前記ベースバンド処理部と前記ＣＰＵとに対して、通常動作状態において第１の電源電圧を供給すると共に、待機動作状態において電源電圧を供給しない第１の電源供給手段と、
少なくとも前記ＳＲＡＭと前記リアルタイムクロックとに対して、通常動作状態において第２の電源電圧を供給すると共に、待機動作状態において第２の電源電圧よりも低い第３の電源電圧を供給する第２の電源供給手段と、
を具備する半導体集積回路。
【請求項２】
全地球測位システム（ＧＰＳ）の信号を受信して測位演算を行う機能を有するＧＰＳ受信機において用いられる半導体集積回路であって、
ＧＰＳ信号を受信して得られた中間周波数信号を復調してベースバンド信号を生成すると共に、受信されたＧＰＳ信号に関する相関処理を行うベースバンド処理部と、
前記ベースバンド処理部によって生成されたベースバンド信号に基づいて測位演算を行うＣＰＵと、
前記ＣＰＵにおける測位演算に用いられるデータを格納するためのＳＲＡＭと、
時刻を計測するリアルタイムクロックと、
制御信号に従ってクロック信号の周波数を変更し、該クロック信号を前記ＣＰＵに供給する周波数変更手段と、
制御信号に従って、少なくとも前記ベースバンド処理部に第１の電源電圧を供給する第１の電源供給手段と、
制御信号に従って、少なくとも前記ＳＲＡＭと前記リアルタイムクロックとに第２の電源電圧又は第２の電源電圧よりも低い第３の電源電圧を選択的に供給する第２の電源供給手段と、
制御信号に従って、少なくとも前記ＣＰＵに複数の電源電圧の内の１つを選択的に供給する第３の電源供給手段と、
を具備する半導体集積回路。
【請求項３】
前記第１の電源供給手段が、少なくとも前記ベースバンド処理部に対して、通常動作状態において第１の電源電圧を供給すると共に、待機動作状態において電源電圧を供給せずに、
前記第２の電源供給手段が、少なくとも前記ＳＲＡＭと前記リアルタイムクロックとに対して、通常動作状態において第２の電源電圧を供給すると共に、待機動作状態において第３の電源電圧を供給する、請求項２記載の半導体集積回路。
【請求項４】
前記周波数変更手段が、前記ＣＰＵが実行するアプリケーションに応じてクロック信号の周波数を変更し、
前記第３の電源供給手段が、前記ＣＰＵが実行するアプリケーションに応じて複数の電源電圧の内の１つを選択する、請求項２又は３記載の半導体集積回路。
【請求項５】
前記第２の電源電圧が、前記第１の電源電圧と等しい、請求項１〜４のいずれか１項記載の半導体集積回路。
【発明の詳細な説明】
【技術分野】
【０００１】
本発明は、全地球測位システム（ＧＰＳ）の信号を受信して測位演算を行う機能を有するＧＰＳ受信機において用いられる半導体集積回路に関する。
【背景技術】
【０００２】
例えば、カーナビゲーション用のＧＰＳ受信機においては、現在位置、進行方向及び速度等を把握するための測位機能と、測位機能によって得られたデータに基づいてマップマッチングを行うことにより現在位置から目的地までのルート等を表示する地図表示機能と、地図情報等を記録しておく情報記録機能と、目的地を設定する操作等における操作性を向上させるためのＨＭＩ（ヒューマン・マシン・インタフェース）機能等が備えられている。そのようなＧＰＳ受信機は、車内に設置されるので、小型化・低消費電力化が重要な課題であり、また、低価格化の要求も高まっている。
【０００３】
図７に、従来のＧＰＳ受信機の構成を示す。このＧＰＳ受信機は、ＧＰＳ衛星から送信されるＧＰＳ信号を受信して無線周波数（ＲＦ）信号を生成するＲＦ受信部３１０と、ＲＦ信号を中間周波数（ＩＦ）信号に変換するダウンコンバータ部３２０と、ＩＦ信号を復調してベースバンド信号を生成するベースバンド処理部３３０と、ベースバンド信号に基づいて測位演算を行うことにより位置や速度を求める測位演算制御部３４０とを含んでいる。
【０００４】
ＲＦ受信部３１０において、ＧＰＳ衛星から送信されるＧＰＳ信号をアンテナ素子３１１が受信してＲＦ信号を生成すると、プリアンプ／フィルタ回路回路３１２は、ＲＦ信号を増幅してフィルタリングし、ダウンコンバータ部３２０に出力する。ダウンコンバータ部３２０において、基準発振器３２１は、基準周波数信号を生成し、シンセサイザ部３２２は、基準周波数信号に基づいて所望の局部発振信号を生成する。さらに、受信周波数変換回路３２３は、局部発振信号に基づいてＲＦ信号を中間周波数信号に変換し、Ａ／Ｄ変換部３２４は、アナログのＩＦ信号をディジタルのＩＦ信号に変換してベースバンド処理部３３０に出力する。
【０００５】
ベースバンド処理部３３０は、ＩＦ信号を復調してベースバンド信号を生成すると共に、受信されたＧＰＳ信号や所定のコードとの相関処理を行うことによりＧＰＳ信号のサーチ及び追尾を行う。測位演算制御部３４０は、制御入出力部３４１と、ＣＰＵ３４２と、ＲＯＭ及びＲＡＭを含むメモリ３４３と、リアルタイムクロック３４４とによって構成され、ベースバンド信号に基づいて擬似距離データを求めたり、ドップラ周波数の計測を行ったりすることにより、計測データを得る。４つ以上のＧＰＳ衛星から送信されるＧＰＳ信号に基づく計測データが得られると３次元測位の計算が可能となるので、測位演算制御部３４０は、これらの計測データに基づいて測位演算を行うことにより、ユーザ位置（緯度、経度、高さ）及びユーザ速度（速さ、方向）を求める。
【０００６】
測位演算制御部３４０において、メモリ３４３に含まれているＲＡＭと、リアルタイムクロック３４４には、常時電源を供給することが望ましい。そこで、それらの回路部分を別個のＩＣチップで構成することにより、それらの回路部分には常時電源を供給し、他の回路部分には必要な時だけ電源を供給することによって、低消費電力化を図ることが考えられる。しかしながら、チップを分割することは、ＧＰＳ受信機の小型化・低価格化の要求に対して重大な阻害要因となってしまうので、少なくともベースバンド処理部３３０と測位演算制御部３４０とを、１チップで構成することが望ましい。
【０００７】
関連する技術として、特許文献１には、常時電源をオンにしておく必要のある第１の回路群と、常時電源をオンにしておく必要のない第２の回路群とを含む半導体集積回路装置において、第１の回路群に接続された第１の電源レギュレータと、第２の回路群に接続され、所定の制御信号によって電源電圧のオン／オフをコントロール可能な第２の電源レギュレータとを設けることが開示されている。特許文献１によれば、第２の回路群に対する給電の必要がないときには、第２の電源レギュレータの電源電圧をオフすることにより、低消費電力化を図ることができる。しかしながら、ＧＰＳ受信機においては、さらに低消費電力化を図ることが要望されている。
【特許文献１】特開２００４−１４７８２号公報（第１頁、図１）
【発明の開示】
【発明が解決しようとする課題】
【０００８】
そこで上記の点に鑑み、本発明は、全地球測位システム（ＧＰＳ）の信号を受信して測位演算を行う機能を有するＧＰＳ受信機に用いられる半導体集積回路において、従来よりも消費電力を低減することを目的とする。
【課題を解決するための手段】
【０００９】
上記の課題を解決するために、本発明の第１の観点に係る半導体集積回路は、ＧＰＳ信号を受信して得られた中間周波数信号を復調してベースバンド信号を生成すると共に、受信されたＧＰＳ信号に関する相関処理を行うベースバンド処理部と、ベースバンド処理部によって生成されたベースバンド信号に基づいて測位演算を行うＣＰＵと、ＣＰＵにおける測位演算に用いられるデータを格納するためのＳＲＡＭと、時刻を計測するリアルタイムクロックと、少なくともベースバンド処理部とＣＰＵとに対して、通常動作状態において第１の電源電圧を供給すると共に、待機動作状態において電源電圧を供給しない第１の電源供給手段と、少なくともＳＲＡＭとリアルタイムクロックとに対して、通常動作状態において第２の電源電圧を供給すると共に、待機動作状態において第２の電源電圧よりも低い第３の電源電圧を供給する第２の電源供給手段とを具備する。
【００１０】
本発明の第２の観点に係る半導体集積回路は、ＧＰＳ信号を受信して得られた中間周波数信号を復調してベースバンド信号を生成すると共に、受信されたＧＰＳ信号に関する相関処理を行うベースバンド処理部と、ベースバンド処理部によって生成されたベースバンド信号に基づいて測位演算を行うＣＰＵと、ＣＰＵにおける測位演算に用いられるデータを格納するためのＳＲＡＭと、時刻を計測するリアルタイムクロックと、制御信号に従ってクロック信号の周波数を変更し、該クロック信号をＣＰＵに供給する周波数変更手段と、制御信号に従って、少なくともベースバンド処理部に第１の電源電圧を供給する第１の電源供給手段と、制御信号に従って、少なくともＳＲＡＭとリアルタイムクロックとに第２の電源電圧又は第２の電源電圧よりも低い第３の電源電圧を選択的に供給する第２の電源供給手段と、制御信号に従って、少なくともＣＰＵに複数の電源電圧の内の１つを選択的に供給する第３の電源供給手段とを具備する。
【００１１】
本発明の第２の観点において、第１の電源供給手段が、少なくともベースバンド処理部に対して、通常動作状態において第１の電源電圧を供給すると共に、待機動作状態において電源電圧を供給せずに、第２の電源供給手段が、少なくともＳＲＡＭとリアルタイムクロックとに対して、通常動作状態において第２の電源電圧を供給すると共に、待機動作状態において第３の電源電圧を供給するようにしても良い。また、周波数変更手段が、ＣＰＵが実行するアプリケーションに応じてクロック信号の周波数を変更し、第３の電源供給手段が、ＣＰＵが実行するアプリケーションに応じて複数の電源電圧の内の１つを選択するようにしても良い。
さらに、本発明の第１及び第２の観点において、第２の電源電圧を第１の電源電圧と等しくしても良い。
【発明の効果】
【００１２】
以上のように構成した本発明によれば、ＧＰＳ受信機に用いられる半導体集積回路において、ＳＲＡＭとリアルタイムクロックとに供給する電源電圧、又は、ＣＰＵに供給する電源電圧を動作状態に応じて変更することにより、従来よりも消費電力を低減することが可能となる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の第１の実施形態に係る半導体集積回路を用いたＧＰＳ受信機の構成を示すブロック図である。このＧＰＳ受信機は、全地球測位システム（ＧＰＳ）の信号を受信して測位演算を行う機能を有する。
【００１４】
図１に示すように、ＧＰＳ受信機は、ＧＰＳ衛星から送信されるＧＰＳ信号を受信して無線周波数（ＲＦ）信号を生成するＲＦ受信部１０と、ＲＦ信号を中間周波数（ＩＦ）信号に変換するダウンコンバータ部２０と、ＩＦ信号を復調してベースバンド信号を生成するベースバンド処理部３０と、ベースバンド信号に基づいて測位演算を行うことにより位置や速度を求める測位演算制御部４０と、測位演算制御部４０に動作設定等の制御信号を供給するホストコンピュータ５０と、バスライン６０を介して接続されたフラッシュメモリ７０と、各部に電源電圧ＶＤＤを供給する電源回路８０とを含んでいる。
【００１５】
本実施形態においては、ベースバンド処理部３０と測位演算制御部４０とを１チップ化して半導体集積回路１００に搭載することによりコストを低減しているが、さらに、これら以外の回路部分を半導体集積回路１００に搭載するようにしても良い。
【００１６】
ＲＦ受信部１０は、ＧＰＳ衛星から送信されるＧＰＳ信号を受信してＲＦ信号を生成するアンテナ素子１１と、ＲＦ信号を増幅してフィルタリングし、ダウンコンバータ部２０に出力するプリアンプ／フィルタ回路回路１２とによって構成される。
【００１７】
ダウンコンバータ部２０は、図７に示すダウンコンバータ部３２０と同様に、基準周波数信号を生成する基準発振器と、基準周波数信号に基づいて所望の局部発振信号を生成するシンセサイザ部と、局部発振信号に基づいてＲＦ信号を中間周波数信号に変換する受信周波数変換回路と、アナログのＩＦ信号をディジタルのＩＦ信号に変換してベースバンド処理部３０に出力するＡ／Ｄ変換部とによって構成される。
【００１８】
ベースバンド処理部３０は、ＩＦ信号を復調してベースバンド信号を生成すると共に、受信されたＧＰＳ信号や所定のコードに関する相関処理を行うことによりＧＰＳ信号のサーチ及び追尾を行う。
【００１９】
測位演算制御部４０は、ＣＰＵ４１と、ＲＯＭ４２と、ＳＲＡＭ４３と、リアルタイムクロック（ＲＴＣ）４４とによって構成され、これらの部分４１〜４４は、バスライン６０を介して互いに接続されている。また、測位演算制御部４０は、ホストコンピュータ５０との接続を行うためのシリアルポート４５を有している。
【００２０】
ＣＰＵ４１は、ベースバンド信号に基づいて擬似距離データを求めたり、ドップラ周波数の計測を行ったりすることにより、計測データを得る。４つ以上のＧＰＳ衛星から送信されるＧＰＳ信号に基づく計測データが得られると３次元測位の計算が可能となるので、ＣＰＵ４１は、これらの計測データに基づいて測位演算を行うことにより、ユーザ位置（緯度、経度、高さ）及びユーザ速度（速さ、方向）を求める。
【００２１】
半導体集積回路１００において、電源電圧の供給は、ベースバンド処理部３０、測位演算制御部４０のＣＰＵ４１、ＲＯＭ４２、シリアルポート４５を含む第１の電源領域１０１と、制御部４０のＳＲＡＭ４３、リアルタイムクロック（ＲＴＣ）４４を含む第２の電源領域１０２とに分けて行われる。
【００２２】
第１の電源領域１０１に所定の電源電圧を供給するために、第１の電源供給手段８１が設けられており、第２の電源領域１０２に所定の電源電圧を供給するために、第２の電源供給手段８２が設けられている。電源供給手段８１及び８２としては、電源回路８０から電源電圧ＶＤＤが供給されて動作する安定化電源回路、昇圧回路、降圧回路、電圧調整回路等を用いることができる。
【００２３】
通常動作状態においては、ＲＦ受信部１０と、ダウンコンバータ部２０と、ベースバンド処理部３０と、測位演算制御部４０との全てが動作する。ベースバンド処理部３０は、復調されたベースバンド信号を測位演算制御部４０のＣＰＵ４１に供給する。ＣＰＵ４１は、シリアルポート４５を介してホストコンピュータ５０から制御信号を入力し、ベースバンド処理部３０から供給されたベースバンド信号に基づいて測位計算を行う。また、ＣＰＵ４１は、バスライン６０を介して、ＲＯＭ４２又はフラッシュメモリ７０に格納されている地図情報等のデータを読み出すと共に、ＲＴＣ４４から時刻データを入力して、マップマッチングやデットレコニング（ＤＲ）の手法を用いることにより、ベースバンド信号に基づいて計算された位置の高精度化を図っている。
【００２４】
待機動作状態においては、ＲＦ受信部１０、ダウンコンバータ部２０、ベースバンド処理部３０は、ＧＰＳ信号の受信及び処理を行わないので、これらに対して給電を行う必要はない。同様に、ＣＰＵ４１、ＲＯＭ４２、シリアルポート４５も動作しないので、これらに対しても給電を行う必要はない。従って、第１の電源領域１０１に電源電圧を供給する第１の電源供給手段８１の動作を停止させることができる。
【００２５】
一般的に、ＧＰＳレシーバにおいては、３種類の起動モードが存在する。第１は、ホットスタートと呼ばれるものであり、起動歴、位置情報、時刻情報として正確な情報を有していれば、メイン電源オンから１０秒以下の期間の経過後に測位演算をスタートする。第２は、ウォームスタートと呼ばれるものであり、起動歴、位置情報、時刻情報として粗い情報を有していれば、メイン電源オンから３０秒〜４０秒程度の期間の経過後に測位演算をスタートする。第３は、コールドスタートと呼ばれるものであり、ホットスタート又はウォームスタートの条件を満たさない場合に、メイン電源オンから１分以上の期間の経過後に測位演算をスタートする。
【００２６】
従って、起動の際にホットスタート又はウォームスタートによって迅速な起動を実現するためには、待機動作状態において、ＣＰＵにおける測位演算に用いられるデータ（直前までの測位演算結果を含む）をＳＲＡＭ４３に格納し、かつ、ＲＴＣ４４の動作を維持しなくてはならない。そこで、第２の電源供給手段８２は、待機動作状態において、ＳＲＡＭ４３とＲＴＣ４４が動作可能な範囲内で低減された電源電圧を第２の電源領域１０２に供給するようにしている。
【００２７】
この低減された電源電圧としては、例えば、ＳＲＡＭ４３のメモリセルに含まれているＰチャネルＭＯＳトランジスタ及び／又はＮチャネルＭＯＳトランジスタのゲート・ソース間しきい電圧（絶対値）よりも大きく、通常動作状態の電源電圧よりも小さい電圧値を用いるようにしても良い。特に、ＰチャネルＭＯＳトランジスタとＮチャネルＭＯＳトランジスタとのゲート・ソース間しきい電圧（絶対値）の和よりも小さい電圧を用いることにより、消費電力の低減効果が大きい。あるいは、ＲＴＣ４４の発振停止電圧よりも大きく、通常動作状態の電源電圧よりも小さい電圧値を用いるようにしても良い。
【００２８】
図２は、図１に示す第１の電源供給手段の具体的な回路例を示す図である。ここでは、第１の電源供給手段として、安定化電源回路を用いる場合について説明する。図２の（ａ）において、差動増幅器８４の非反転入力端子には、参照電圧ＶＲＥＦが印加されており、差動増幅器８４の出力電圧が、抵抗Ｒ１及びＲ２によって構成される分圧回路によって分圧されて、差動増幅器８４の反転入力端子に印加される。これにより、差動増幅器８４の出力電圧は、（１＋Ｒ１／Ｒ２）ＶＲＥＦとなる。また、スイッチ回路ＳＷ１がオフすると、差動増幅器８４の出力電圧はゼロとなる。スイッチ回路ＳＷ１は、例えば、ホストコンピュータ５０（図１）から供給される制御信号によって制御される。
【００２９】
図２の（ｂ）において、差動増幅器８４の非反転入力端子には、抵抗Ｒ３及びＲ４によって構成される分圧回路によって電源電圧ＶＤＤが分圧された電圧が印加されており、差動増幅器８４の出力電圧が反転入力端子に印加される。これにより、差動増幅器８４の出力電圧は、｛Ｒ４／（Ｒ３＋Ｒ４）｝ＶＤＤとなる。また、スイッチ回路ＳＷ１がオフすると、差動増幅器８４の出力電圧はゼロとなる。スイッチ回路ＳＷ１は、例えば、ホストコンピュータ５０（図１）から供給される制御信号によって制御される。
【００３０】
図２の（ｃ）において、差動増幅器８４の非反転入力端子には、抵抗Ｒ５及びＲ６によって構成される分圧回路によって参照電圧ＶＲＥＦが分圧された電圧が印加されており、差動増幅器８４の出力電圧が反転入力端子に印加される。これにより、差動増幅器８４の出力電圧は、｛Ｒ６／（Ｒ５＋Ｒ６）｝ＶＲＥＦとなる。また、スイッチ回路ＳＷ１がオフすると、差動増幅器８４の出力電圧はゼロとなる。スイッチ回路ＳＷ１は、例えば、ホストコンピュータ５０（図１）から供給される制御信号によって制御される。
【００３１】
図３は、図１に示す第２の電源供給手段の具体的な回路例を示す図である。ここでは、第２の電源供給手段として、出力電圧が切換可能な安定化電源回路を用いる場合について説明する。図３において、差動増幅器８５の非反転入力端子には、参照電圧ＶＲＥＦが印加されており、差動増幅器８４の出力電圧は、抵抗Ｒ７、Ｒ８、Ｒ９によって構成される分圧回路によって分圧されて、スイッチ回路ＳＷ２によって選択された電圧が、差動増幅器８４の反転入力端子に印加される。スイッチ回路ＳＷ２は、例えば、ホストコンピュータ５０（図１）から供給される制御信号によって制御される。これにより、差動増幅器８４の出力電圧は、Ｖ１＝｛１＋Ｒ７／（Ｒ８＋Ｒ９）｝ＶＲＥＦ、又は、Ｖ２＝｛１＋（Ｒ７＋Ｒ８）／Ｒ９｝ＶＲＥＦとなる。
【００３２】
図４は、第１の実施形態における通常動作状態及び待機動作状態による電源電圧の変化を示す図であり、（ａ）は、図１に示す第１の電源供給手段８１によって供給される電源電圧の変化を示しており、（ｂ）は、図１に示す第２の電源供給手段８２によって供給される電源電圧の変化を示している。
【００３３】
図４の（ａ）に示すように、第１の電源供給手段８１は、通常動作状態において電圧Ｖ１を供給し、待機動作状態において電圧を供給しない。一方、図４の（ｂ）に示すように、第２の電源供給手段８２は、通常動作状態において電圧Ｖ２を供給し、待機動作状態において電圧Ｖ３を供給する。ここで、電圧Ｖ１及び電圧Ｖ２は、通常動作状態において各部が動作するのに必要な電源電圧の値であり、電圧Ｖ３は、ＳＲＡＭ４３とＲＴＣ４４に必要な最低限の電源電圧の値である。なお、Ｖ１＝Ｖ２としても良い。
【００３４】
このように、図１に示す半導体集積回路１００を第１の電源領域１０１と第２の電源領域１０２とに分割し、待機動作状態において、第１の電源領域１０１に対する給電を停止し、第２の電源領域１０２に対しては必要最低限の電源電圧を供給することにより、待機動作状態における消費電力を低減させることができる。
【００３５】
次に、本発明の第２の実施形態について説明する。
図５は、本発明の第２の実施形態に係る半導体集積回路を用いたＧＰＳ受信機の構成を示すブロック図である。図５に示すように、半導体集積回路２００においては、第３の電源領域１０３をさらに設け、この第３の電源領域１０３に、ＣＰＵ４１、ＲＯＭ４２、シリアルポート４５、ＰＬＬ回路４６、第３の電源供給手段８３を配置している。ＰＬＬ回路４６は、例えば、ホストコンピュータ５０から供給される制御信号に従って、ＣＰＵ４１に供給されるクロック信号の周波数を変化させる。
【００３６】
ＣＰＵ４１が測位演算のみを行うために必要なクロック信号の周波数がｆ［Ｈｚ］であるとすると、測位演算の他にマップマッチングやデッドレコニング等のカーナビゲーションのために必要な複数のタスクをＣＰＵ４１に実行させる場合には、ＣＰＵ４１の処理能力を向上させるためにクロック信号の周波数を高くすることが有効である。そのために、本実施形態においては、ＰＬＬ回路４６によって、クロック信号の周波数をｎ・ｆ［Ｈｚ］とするようにしている（ｎは自然数）。これに伴い、ＣＰＵ４１に供給される電源電圧の値を変更できるように、第３の電源供給手段８３が設けられている。第３の電源供給手段８３は、図３に示す第２の電源供給手段と同様に構成され、例えば、ホストコンピュータ５０から供給される制御信号に従って出力電圧の値を変化させる。
【００３７】
図６は、第２の実施形態における通常動作状態及び待機動作状態による電源電圧の変化を示す図であり、（ａ）は、図５に示す第１の電源供給手段８１によって供給される電源電圧の変化を示しており、（ｂ）は、図５に示す第２の電源供給手段８２によって供給される電源電圧の変化を示しており、（ｃ）は、図５に示す第３の電源供給手段８３によって供給される電源電圧の変化を示している。
【００３８】
図６の（ａ）に示すように、図５に示す第１の電源供給手段８１は、通常動作状態において電圧Ｖ１を供給し、待機動作状態において電圧を供給しない。一方、図６の（ｂ）に示すように、第２の電源供給手段８２は、通常動作状態において電圧Ｖ２を供給し、待機動作状態において電圧Ｖ３を供給する。ここで、電圧Ｖ１及び電圧Ｖ２は、通常動作状態において第１及び第２の電源領域１０１及び１０２における各部が動作するのに必要な電源電圧の値であり、電圧Ｖ３は、ＳＲＡＭ４３とＲＴＣ４４に必要な最低限の電源電圧の値である。なお、Ｖ１＝Ｖ２としても良い。
【００３９】
また、図６の（ｃ）に示すように、図５に示す第３の電源供給手段８３は、通常動作状態においてＣＰＵ４１が測位演算のみを行う場合に電圧Ｖ４を供給し、通常動作状態においてＣＰＵ４１が複数のタスクを実行する場合に電圧Ｖ５を供給し、待機動作状態において電圧を供給しない。ここで、Ｖ４＜Ｖ５である。
【００４０】
このように、第３の電源供給手段８３を設けることにより、ＣＰＵ４１の負荷に応じてＣＰＵ４１に供給される電源電圧の値を変化させることができるので、ＣＰＵ４１において実行されるアプリケーションに応じて半導体集積回路２００の消費電力を最適に制御することが可能となる。
【図面の簡単な説明】
【００４１】
【図１】第１の実施形態に係る半導体集積回路を用いたＧＰＳ受信機の構成を示す図。
【図２】図１に示す第１の電源供給手段の具体的な回路例を示す図。
【図３】図１に示す第２の電源供給手段の具体的な回路例を示す図。
【図４】第１の実施形態における電源電圧の変化を示す図。
【図５】第２の実施形態に係る半導体集積回路を用いたＧＰＳ受信機の構成を示す図。
【図６】第２の実施形態における電源電圧の変化を示す図。
【図７】従来のＧＰＳ受信機の構成を示す図。
【符号の説明】
【００４２】
１０  ＲＦ受信部、  １１  アンテナ素子、  １２  プリアンプ／フィルタ回路、  ２０  ダウンコンバータ部、  ３０  ベースバンド処理部、  ４０  測位演算制御部、  ４１  ＣＰＵ、  ４２  ＲＯＭ、  ４３  ＳＲＡＭ、  ４４  ＲＴＣ、  ４５  シリアルポート、  ４６  ＰＬＬ回路、  ５０  ホストコンピュータ、  ６０  バスライン、  ７０  フラッシュメモリ、  ８０  電源回路、  ８１〜８３  電源供給手段、  ８４、８５  差動増幅器、  １００、２００  半導体集積回路
【図１】
2007027597.tif 000003
【図２】
2007027597.tif 000004
【図３】
2007027597.tif 000005
【図４】
2007027597.tif 000006
【図５】
2007027597.tif 000007
【図６】
2007027597.tif 000008
【図７】
2007027597.tif 000009